(57)【要約】誘導加熱調理器（２）は、被加熱物（４）が載置されるトッププレート（８）と、トッププレート（８）の下方に設けられ、トッププレート（８）上に載置された被加熱物（４）を誘導加熱するコイル（１０）と、コイル（１０）を収容するとともに、トッププレート（８）を支持するように配設された本体部（６）と、を備える。さらに、誘導加熱調理器（２）は、誘導加熱調理器の調理に関する調理情報を表示するディスプレイ（１４）を備え、ディスプレイ（１４）は、本体部（６）と通信する通信部（１４ａ）を備え、本体部（６）と別体で移動可能に設けられる。これにより、利便性が向上した誘導加熱調理器（２）を提供できる。
2017038013.tif 000002
【特許請求の範囲】
【請求項１】
被加熱物が載置されるトッププレートと、前記トッププレートの下方に設けられ、前記トッププレート上に載置された被加熱物を誘導加熱するコイルと、前記コイルを収容するとともに、前記トッププレートを支持するように配設された本体部と、を備える誘導加熱調理器であって、
前記誘導加熱調理器の調理に関する調理情報を表示するディスプレイを、備え、
前記ディスプレイは、前記本体部と通信する通信部を備え、前記本体部と別体で移動可能に設けられる、誘導加熱調理器。
【請求項２】
前記ディスプレイは、前記トッププレート上に載置されたときに、前記コイルが発生した電磁界を受けて電力を発生させる受電コイルを備え、
前記ディスプレイは、前記受電コイルが発生させた電力によって駆動される、請求項１に記載の誘導加熱調理器。
【請求項３】
前記コイルは、前記トッププレートの下方に配列される複数のコイルで構成される、請求項１に記載の誘導加熱調理器。
【請求項４】
前記ディスプレイは、前記トッププレート上の任意の位置に載置可能で、載置した箇所の直下における少なくとも前記複数のコイルの１つによって給電される、請求項３に記載の誘導加熱調理器。
【請求項５】
前記ディスプレイは、バッテリを備える、請求項１に記載の誘導加熱調理器。
【請求項６】
前記本体部は、前記コイルの周囲に配置される発光ユニットと、前記コイルの温度を検知する温度検知部と、制御部を備え、
前記制御部は、前記温度検知部で検知した温度に基づいて、所定の前記発光ユニットを発光させて、前記ディスプレイの載置可能な位置を表示する、請求項１に記載に誘導加熱調理器。
【発明の詳細な説明】
【技術分野】
【０００１】
本開示は、調理用鍋などの被加熱物を誘導加熱する誘導加熱調理器に関する。
【背景技術】
【０００２】
従来、誘導加熱調理器は、例えば複数の加熱コイルをトッププレートの直下に配設している。誘導加熱調理器は、加熱コイルにより、トッププレート上に載置された被加熱物である金属製の調理用鍋などを誘導加熱するように構成される。【０００３】
また、調理に関する調理情報を表示する表示部を有する誘導加熱調理器なども開示されている（例えば、特許文献１参照）。【０００４】
特許文献１に開示される誘導加熱調理器は、静電容量式のタッチキーと、操作ダイヤルと、表示部を備える。表示部は、誘導加熱調理器の本体に固定されている。【０００５】
しかしながら、特許文献１の誘導加熱調理器は、表示部が固定して配置されている。そのため、ユーザは、表示部の位置を変更できない。【０００６】
また、昨今、誘導加熱調理器による調理方法の多様化が進んでいる。そのため、特許文献１の誘導加熱調理器の構成は、特に、調理中において、ユーザが表示部を確認する際に不便となる。つまり、誘導加熱調理器は、調理の利便性の観点で未だ改善の余地がある。
【先行技術文献】
【特許文献】
【０００７】
【特許文献１】特開２００９−１６３８９９号公報
【発明の概要】
【０００８】
本開示は、利便性を向上できる誘導加熱調理器を提供する。
【０００９】
つまり、本開示の誘導加熱調理器は、被加熱物が載置されるトッププレートと、トッププレートの下方に設けられ、トッププレート上に載置された被加熱物を誘導加熱するコイルと、コイルを収容するとともにトッププレートを支持するように配設された本体部を備える。そして、誘導加熱調理器は、誘導加熱調理器の調理に関する調理情報を表示するディスプレイを備え、ディスプレイは、本体部と通信する通信部を備え、本体部と別体で移動可能に設けられる。
【００１０】
この構成によれば、調理情報を表示するディスプレイが、本体部と別体で移動可能に設けられる。これにより、ユーザの利便性が向上した誘導加熱調理器を提供できる。
【図面の簡単な説明】
【００１１】
【図１】図１は、本実施の形態にかかる誘導加熱調理器の縦断面図である。
【図２】図２は、同実施の形態にかかる誘導加熱調理器の平面図である。
【図３】図３は、同誘導加熱調理器におけるディスプレイの載置可能領域を表示する方法を示すフローチャートである。
【図４Ａ】図４Ａは、図３のフローチャートによる方法を説明するための平面図である。
【図４Ｂ】図４Ｂは、図３のフローチャートによる方法を説明するための平面図である。
【図４Ｃ】図４Ｃは、図３のフローチャートによる方法を説明するための平面図である。
【図４Ｄ】図４Ｄは、図３のフローチャートによる方法を説明するための平面図である。
【図５】図５は、同実施の形態にかかる誘導加熱調理器のコイルの配置構成に関する変形例を示す平面図である。
【発明を実施するための形態】
【００１２】
以下、本開示の実施の形態の誘導加熱調理器について、図面を参照しながら説明する。なお、本実施の形態によって本開示が限定されるものではない。
【００１３】
（実施の形態）
以下に、本開示の実施の形態にかかる誘導加熱調理器について、図１および図２を用いて、説明する。
【００１４】
図１は、本実施の形態にかかる誘導加熱調理器の縦断面図である。図２は、同実施の形態にかかる誘導加熱調理器の平面図である。
【００１５】
なお、誘導加熱調理器２は、例えば被加熱物４を誘導加熱する構成を有する調理器（ＩＨ調理器）などである。
【００１６】
本実施の形態の誘導加熱調理器２は、図１に示すように、本体部６と、トッププレート８と、複数のコイル１０などを備える。そして、ユーザが被加熱物４をトッププレート８上に載置すると、被加熱物４の直下におけるコイル１０を介して、誘導加熱により、被加熱物４が加熱調理される。
【００１７】
また、本実施の形態の誘導加熱調理器２は、備え付け表示部（第１の表示部）１２と、ディスプレイ（第２の表示部）１４と、温度検知部１６と、発光ユニット１８（図２参照）と、制御部２０などを、さらに備える。
【００１８】
以下に、誘導加熱調理器２の各構成について、順に説明する。
【００１９】
なお、以下では、図中に示すように、誘導加熱調理器２における幅方向をＸ方向、奥行方向をＹ方向、高さ方向をＺ方向として、説明する。
【００２０】
被加熱物４は、誘導加熱調理器２により誘導加熱される、例えば調理用鍋などの対象物から構成される。被加熱物４は、少なくとも一部が金属で形成される。これにより、コイル１０が発生させる磁力線により金属に渦電流が流れて、被加熱物４の誘導加熱が可能となる。
【００２１】
本体部６は、ユーザが、誘導加熱調理器２による調理を行う土台部分を構成する。本体部６は、上部に、トッププレート８が配設される。トッププレート８は、透光性を有する、例えば結晶化ガラスなどで形成され、誘導加熱調理器２の天板を構成する。トッププレート８の上部には、被加熱物４および後述するディスプレイ１４などが載置される。
【００２２】
コイル１０は、磁力線を発生して、被加熱物４の誘導加熱やディスプレイ１４への給電または充電などを行う。なお、本実施の形態のコイル１０は、図２に示すように、上方視において、中央部分が空洞のドーナツ型の形状で構成される。コイル１０の周囲には、後述する発光ユニット１８が配置される。
【００２３】
また、コイル１０は、図２に示すように、複数の縦列（Ｙ方向）および複数の横列（Ｘ方向）で構成される格子状（ＸＹ平面）に配置される。この配置により、被加熱物４をトッププレート８上の任意の位置に載置しても、少なくとも被加熱物４の直下に配置される１つのコイル１０により誘導加熱が可能となる。
【００２４】
備え付け表示部１２は、例えば液晶ディスプレイなどで構成され、例えば誘導加熱調理器２の調理に関する情報（調理情報）を表示する。備え付け表示部１２は、図１に示すように、本体部６の前面（Ｙ方向手前側）に固定して設けられる。なお、備え付け表示部１２の設置位置は、上記本体部６の前面に限らず、それ以外の、例えば本体部６の上面などに設けてもよい。
【００２５】
ディスプレイ１４は、備え付け表示部１２と同様に、誘導加熱調理器２の調理情報などを表示する。ディスプレイ１４は、例えば調理情報を表示するための画面を有するタッチパネル式のタブレットなどで構成される。つまり、ディスプレイ１４は、固定式の備え付け表示部１２とは異なり、本体部６やトッププレート８とは分離して、別体で設けられる。これにより、ディスプレイ１４を、任意の位置に移動可能に配置できる。
【００２６】
そのため、ディスプレイ１４は、被加熱物４と同様に、トッププレート８上に載置して使用することが可能となる。
【００２７】
なお、本実施の形態では、図２に示すように、ディスプレイ１４が、コイル１０の４つ分（縦横に２列ずつ）に相当する大きさを有する場合を、例に説明する。
【００２８】
ディスプレイ１４は、内部に、通信部１４ａ、バッテリ１４ｂ、受電コイル１４ｃなどを備える。通信部１４ａは、後述する本体部６内の制御部２０と通信する。
【００２９】
バッテリ１４ｂは、例えば充電可能なリチウムイオン電池などで構成され、ディスプレイ１４を駆動する駆動部を構成する。
【００３０】
受電コイル１４ｃは、ディスプレイ１４がトッププレート８上に載置されたときに、載置された直下におけるコイル１０が発生した電磁界を受けて電力を発生させる。受電コイル１４ｃは、バッテリ１４ｂに接続される。これにより、バッテリ１４ｂは、受電コイル１４ｃで発生する電力の供給を受けて充電可能に構成される。つまり、ディスプレイ１４は、バッテリ１４ｂおよび受電コイル１４ｃにより、本体部６のコイル１０を介して給電可能に構成される。
【００３１】
温度検知部１６は、例えばサーミスタなどの温度センサで構成され、コイル１０の上方におけるトッププレート８の温度を検知する。これにより、温度検知部１６は、トッププレート８を介して、被加熱物４の温度を検知する。本実施の形態では、温度検知部１６は、それぞれのコイル１０に対応して１つずつ設けられる。なお、図１では、温度検知部１６をトッププレート８の下面に接触して設ける構成を例に示しているが、これに限られない。トッププレート８を介して被加熱物４の温度を検知できる位置であれば、例えばコイル１０の周辺などに温度検知部１６を配置してもよい。
【００３２】
発光ユニット１８は、図２に示すように、それぞれのコイル１０の周囲に、個別に配置される。発光ユニット１８は、発光により、電磁界を発生しているコイル１０の位置を、ユーザが、トッププレート８を通して目視可能（視認可能）にする。なお、本実施の形態における発光ユニット１８は、コイル１０を囲むように設けられた、例えばリング状のＬＥＤで構成される。発光ユニット１８は、後述するように、ディスプレイ１４などの非接触受電装置の載置可能領域を案内する案内部として、機能する。
【００３３】
制御部２０は、本体部６内に配置され、誘導加熱調理器２の運転を制御する。具体的には、制御部２０は、本体部６内に配置された複数のコイル１０、備え付け表示部１２および複数の温度検知部１６に接続され、これらの運転を制御する。
【００３４】
さらに、制御部２０は、ディスプレイ１４の通信部１４ａと無線通信が可能に構成される。これにより、制御部２０は、ディスプレイ１４との間で、例えば調理情報などを相互に通信する。
【００３５】
上記構成を有する誘導加熱調理器２によれば、備え付け表示部１２とは別に、移動自由なディスプレイ１４が、本体部６と別体で設けられる。これにより、ユーザは調理を行う際に、自分の好みの場所（例えば、見やすい場所）にディスプレイ１４を配置できる。そのため、ユーザは、視線を動かすだけで、ディスプレイ１４の画面に表示される調理情報を見て調理を行うことができる。その結果、ユーザに対する利便性を向上させることができる。
【００３６】
また、本実施の形態によれば、ディスプレイ１４をトッププレート８上に載置した場合、本体部６のコイル１０を介して、ディスプレイ１４への給電・充電が可能に構成している。これにより、ユーザは、トッププレート８上に載置したディスプレイ１４の調理情報を確認しながら、被加熱物４の調理を行うことができる。同時に、ディスプレイ１４の受電コイル１４ｃを介して、バッテリ１４ｂなどの給電・充電を行うことができる。そのため、ユーザは、ディスプレイ１４のバッテリ１４ｂ容量の残量を気にせずに、ディスプレイ１４を見ながら調理を行うことができる。その結果、ユーザに対する利便性が向上する。つまり、コイル１０は、被加熱物４を誘導加熱して調理をするだけでなく、ディスプレイ１４の給電・充電を行う機能を有する多機能コイルとして用いられる。
【００３７】
また、本実施の形態では、図２に示すように、トッププレート８上の任意の位置に被加熱物４やディスプレイ１４を載置可能なレイアウト自由のマルチコイル構成を採用している。これにより、トッププレート８上の所望の位置にディスプレイ１４を載置できる自由度の高い構成を実現できる。さらに、トッププレート８上にディスプレイ１４を載置した状態で、ディスプレイ１４の充電が可能となる。これにより、利便性の観点で、特に優れた効果が得られる。
【００３８】
以上のように、本実施の形態の誘導加熱調理器２が構成される。
【００３９】
以下に、トッププレート８上においてディスプレイ１４の載置可能な領域を、温度検知部１６および発光ユニット１８を用いて、ユーザに案内する方法について、図３および図４Ａから図４Ｄを用いて説明する。
【００４０】
図３は、誘導加熱調理器におけるディスプレイの載置可能領域を表示する方法を示すフローチャートである。図４Ａから図４Ｄは、図３に示すフローチャートに沿って、順に載置可能領域を表示し案内する一例を説明する平面図である。
【００４１】
図３に示すように、まず、ディスプレイ１４から、本体部６の制御部２０に信号を送信する（ステップＳ１）。具体的には、ユーザがディスプレイ１４に設けられたボタン（図示せず）を押下する。これにより、ディスプレイ１４の通信部１４ａは、制御部２０に信号を送信する。
【００４２】
制御部２０は、通信部１４ａからの信号により、トッププレート８上にディスプレイ１４が載置されることを認識する。このとき、制御部２０は、ディスプレイ１４に関する各種情報（例えば、ディスプレイ１４の種類やサイズの情報など）を記憶している。そこで、制御部２０は、ディスプレイ１４から送信された信号を受信すると、ディスプレイ１４に関する情報を読み出す。
【００４３】
つぎに、制御部２０は、コイル１０による加熱状況を確認する（ステップＳ２）。つまり、制御部２０は、複数のコイル１０のそれぞれについて、加熱中であるか否かを確認する。本実施の形態では、図４Ａに示すように、例えば１つのコイル１０ａが加熱中であることが確認される。これにより、コイル１０ａの上方に位置するトッププレート８の上面に誘導加熱を受ける被加熱物４（図示せず）が載置されていることを確認できる。
【００４４】
つぎに、制御部２０は、温度検知部１６から入力される、それぞれのコイル１０の温度判定を行う（ステップＳ３）。具体的には、ステップＳ２で加熱中と確認されたコイル１０ａおよびその周囲領域を除いて、制御部２０は、それ以外のコイル１０の温度検知部１６で検知された温度が所定温度（例えば、６０℃）以上であるか否かを判定する。このとき、ステップＳ２で加熱中と確認されたコイル１０ａおよびその周囲領域は、図４Ｂに示す領域Ａ１が相当する。そこで、制御部２０は、領域Ａ１を除くトッププレート８上の領域において、温度検知部１６で検知された温度が所定温度以上であるか否かを判定する。
【００４５】
そして、温度判定の結果、図４Ｃに示すように、例えば複数のコイル１０のうち、領域Ａ１に隣接する３つのコイル１０ｂ、コイル１０ｃ、コイル１０ｄに対応する領域Ａ２において、制御部２０は、温度検知部１６で検知した温度が所定温度以上であると判定する。
【００４６】
つぎに、制御部２０は、発光ユニット１８による発光表示を行う（ステップＳ４）。具体的には、図４Ｄに示すように、制御部２０は、領域Ａ１と、ステップＳ３で所定温度以上と判定した領域Ａ２を除く所定の領域Ａ３において、発光ユニット１８による発光を行う。つまり、制御部２０は、温度の高い領域（例えば、領域Ａ１および領域Ａ２）を除外した温度の低い領域Ａ３を発光させる。これにより、制御部２０は、ディスプレイ１４を載置するのに好ましい領域として、領域Ａ３を発光表示して、ユーザを案内する。
【００４７】
このとき、制御部２０は、図４Ｄに示す領域Ａ２に隣接する領域Ａ４（Ｙ方向手前側の領域）を、ステップＳ３で所定温度以上であると判定していない。それにも関わらず、制御部２０は、以下の示す理由により、ステップＳ４で発光ユニット１８を発光させるように制御しない。
【００４８】
なぜならば、ディスプレイ１４の大きさは、上述したように、縦横に２列ずつ合計４つ分の範囲のコイル１０の領域に相当する。つまり、領域Ａ４は、ディスプレイ１４を載置する、４つ分の大きさの領域を確保できない。そのため、制御部２０は、領域Ａ４をディスプレイ１４の載置可能領域から除外して、発光ユニット１８が発光しないように制御する。これにより、制御部２０は、領域Ａ３の発光ユニット１８のみを、ディスプレイ１４の載置可能な領域として発光させる。その結果、ディスプレイ１４の載置可能な領域を、ユーザに対して、より確実に案内できる。
【００４９】
以上により、トッププレート８のディスプレイ１４の載置可能な領域が、発光ユニット１８の発光により、表示される。
【００５０】
つまり、本実施の形態によれば、制御部２０は、ディスプレイ１４の載置可能な領域として、温度の低い領域Ａ３の発光ユニット１８を発光させて表示し、ユーザを案内する。これにより、ユーザは、発光する温度の低い安全な領域Ａ３に、ディスプレイ１４を載置することができる。そのため、温度の高い領域へのディスプレイ１４の載置を未然に防止できる。これにより、ディスプレイ１４自体の故障や、ユーザの温度の高い領域への接触による不具合の発生を防止する。その結果、安全性を、より向上させることができる。
【００５１】
また、本実施の形態によれば、トッププレート８上の任意の位置に被加熱物４やディスプレイ１４を載置可能なマルチコイル構成を採用している。そして、この構成において、温度の低い安全な領域を、載置可能領域として表示する。これにより、被加熱物４やディスプレイ１４を温度の低い安全な領域に、確実に載置できる。つまり、本実施の形態の誘導加熱調理器２は、ディスプレイ１４を載置可能な領域に案内するなどの有用性の点で優れている。
【００５２】
また、本実施の形態によれば、制御部２０は、加熱中であるコイル１０ａの周囲（例えば、領域Ａ１、Ａ２）、およびディスプレイ１４の載置不可能な領域Ａ４を発光させないように、発光ユニット１８の発光を制御する。これにより、加熱中のコイル１０ａの周囲の領域で、かつ温度が低い領域の場合でも、制御部２０は、ディスプレイ１４の載置可能な領域として、案内しない。
【００５３】
つまり、コイル１０ａによる被加熱物４の加熱調理による周囲への、以下に示す影響を低減できる。
【００５４】
具体的には、例えばコイル１０ａで加熱されている被加熱物４が水分を含む場合、高温となった水滴が、コイル１０ａの周囲に飛散する場合がある。飛散した水滴は、ディスプレイ１４やユーザに付着する場合がある。これにより、ディスプレイ１４の故障の原因や、ユーザへの不具合を生じる虞がある。そこで、本実施の形態では、加熱中であるコイル１０ａの周囲を載置可能な領域から除外して、発光ユニット１８が発光しないように制御する。これにより、誘導加熱調理器２の安全性を、さらに向上させることができる。
【００５５】
つぎに、ディスプレイ１４の画面の表示の別の例について、以下で説明する。
【００５６】
つまり、上記では、ディスプレイ１４の画面に、調理内容などを表示する例で説明したが、これに限られない。例えば、ディスプレイ１４は、冷蔵庫／冷凍庫の庫内の状況や、収納物の内容などを、さらに表示してもよい。この場合、ディスプレイ１４の通信部１４ａは、誘導加熱調理器２（制御部２０）だけでなく、冷蔵庫／冷凍庫とも無線通信を行う構成が好ましい。これにより、誘導加熱調理器２のトッププレート８上にディスプレイ１４を置いて調理を行う際に、ユーザは、冷蔵庫／冷凍庫の庫内の画像などの情報から、調理に使う食材などを検討できる。その結果、調理時の利便性を、さらに向上させることができる。
【００５７】
また、ディスプレイ１４は、例えばユーザのバイタルデータ（身体情報）の管理とレシピ提案を行う画面を表示する構成としてもよい。この場合、例えば、ユーザの体重や体脂肪率などのバイタルデータを、画面の一部に表示してもよい。そして、同じ画面上の他の箇所に、表示されるバイタルデータに基づいて推奨されるレシピなどの提案内容を表示してもよい。具体的には、例えば直近の体重や体脂肪率が上昇傾向にあるユーザに対して、ディスプレイ１４に記憶された多数のレシピの中から、カロリーの低いレシピを選択して表示する。これにより、ユーザのバイタルデータに即したレシピを、ディスプレイ１４の画面に表示して、ユーザに提案できる。その結果、ユーザの体調管理などの一翼を担うことができる。
【００５８】
また、ディスプレイ１４は、例えばユーザが選択したレシピについてのレシピガイドを表示してもよい。この場合、例えば選択されたレシピのカロリーや調理時間、材料ごとの分量などを表示してもよい。これにより、ユーザは表示された画面に基づいて、レシピに必要な食材を準備して調理を行うことができる。
【００５９】
さらに、ディスプレイ１４の画面に、ユーザが撮影した、例えば表示されたレシピにしたがって調理した料理を、表示してもよい。この場合、画面の一部に、例えばディスプレイ１４に内蔵されたカメラでユーザが撮影した料理の画像を表示する。このとき、上記画像を含め、過去に撮影したレシピの画像を、ディスプレイ１４の同じ画面の他の箇所に表示してもよい。これにより、ユーザは、過去のレシピを参照しながら、日々の献立を管理することができる。
【００６０】
なお、上記では、実施の形態を挙げて本開示を説明したが、本開示は上述の実施の形態に限定されない。
【００６１】
つまり、本実施の形態では、ディスプレイ１４をトッププレート８上に載置した状態でユーザが調理を行う場合を例に説明したが、これに限られない。例えば、ディスプレイ１４をトッププレート８とは異なる位置（例えば、壁など）に置いた状態で調理を行ってもよい。この場合でも、ユーザは、内蔵されたバッテリ１４ｂで駆動されるディスプレイ１４を見ながら、調理を行うことができる。ただし、ディスプレイ１４をトッププレート８上に載置して充電しながら調理を行う方が、利便性の面からは、より好ましい。その理由は、ユーザは、ディスプレイ１４の充電状態を気にすることなく、集中して調理を行うことができるためである。
【００６２】
また、本実施の形態では、発光ユニット１８をコイル１０の周囲を囲むように設けたリング状のＬＥＤの場合を例に説明したが、これに限られない。被加熱物４やディスプレイ１４などの載置可能な領域を示すように発光する発光ユニットであれば、発光ユニット１８の構成は任意でよい。例えば、コイルの１つ分の領域を１単位（１グリッド）として、グリッド状（格子状）に発光する発光ユニット１８の構成でもよい。
【００６３】
また、本実施の形態では、複数のコイル１０をＹ方向に沿って複数の縦列、Ｘ方向に沿って複数の横列で配置する格子状の構成を例に説明したが、これに限られない。例えば、図５の変形例に示すように、複数のコイル２２を互い違い（千鳥状）に配置し、Ｘ方向およびＹ方向とは異なる、例えば斜め方向に配置してもよい。この場合、上述の実施の形態と同様に、コイル２２のそれぞれの周りに発光ユニット２８を配置してもよい。これにより、それぞれのコイル２２の間が狭まるため、調理を行う際の加熱分布が、より均一化される。さらに、電力送電時において、同一面積で、より多くの電力を送ることができる。
【００６４】
さらに、それぞれのコイル２２の周りに発光ユニット２８を配置せずに、以下に示す別の方法で、例えばブレンダーなどの非接触受電装置の載置可能な領域を表示する構成としてもよい。具体的には、例えば備え付け表示部１２に載置可能領域を表示してもよい。また、誘導加熱調理器２と通信する外部ディスプレイなどに載置可能な領域を表示してもよい。これにより、発光ユニット２８が不要になるので低コスト化が可能になる。また、それぞれのコイル２２の間を狭めることができるので、調理を行う際における、加熱部の分布の均一化が図れる。さらに、電力送電時における単位面積当たりの送電電力を増加できる。
【００６５】
また、本実施の形態では、発光ユニット１８、２８などにより視覚的に表示して案内する構成を例に説明したが、これに限られない。例えば、音声案内部などを設けて、ユーザに、音声で載置可能な領域を案内する構成としてもよい。これにより、例えば視覚に障害を持つ使用者でも、簡便に使用することができる。
【００６６】
また、本実施の形態では、トッププレート８上の任意の位置に、被加熱物４やディスプレイ１４などの非接触受電装置を、載置可能でレイアウト自由のマルチコイル構成を例に説明したが、これに限られない。例えば、被加熱物４や非接触受電装置の載置場所（加熱領域）を予め複数箇所に定める。予め設定したそれぞれの載置場所に対応して、コイルを設ける。そして、複数の載置場所の中から、ユーザが任意の位置に被加熱物４や非接触受電装置を載置する構成としてもよい。このとき、各載置場所の領域に対応して設けられた液晶やＬＥＤのセグメント表示などで構成された操作部を点灯させ、非接触受電装置の載置可能領域を案内する構成としてもよい。これにより、コイル２２の数が少なくなるので、誘導加熱調理器２全体の低コスト化が図れる。さらに、ユーザは、非接触受電装置の載置場所を、より判別しやすくなる。
【００６７】
また、本実施の形態では、図３のフローチャートの例示において、ステップＳ２でディスプレイ１４を載置する前に、１つのコイル１０ａが加熱中である場合を例に説明したが、これに限られない。つまり、トッププレート８上に既に被加熱物４が置かれている場合を例に説明したが、これに限られない。例えば、加熱中のコイル１０が存在しない、すなわちトッププレート８上に被加熱物４が置かれていない状態の場合でもよい。この場合、まず、図３に示すステップＳ３の温度判定において、制御部２０は、全ての領域における温度検知部１６の温度結果を判定する。そして、制御部２０は、判定結果に基づいて、ステップＳ４による、発光ユニット１８の発光制御を行えばよい。この場合、発光ユニット１８の発光制御による載置案内に基づいて、ユーザは、トッププレート８上にディスプレイ１４を載置する。そして、その後、被加熱物４をトッププレート８上に載置して、加熱制御を行う構成としてもよい。これにより、例えば加熱後の高温のフライパンや、オーブンなどの他の調理機器で調理した後の鍋や調理物などを、トッププレート８上に置いている場合でも、ディスプレイ１４を低温の領域に載置して、安全に使用できる。
【００６８】
また、本実施の形態では、トッププレート８上に１つの被加熱物４を配置した場合を例に説明したが、これに限られない。例えば、トッププレート８上に複数の被加熱物４を配置する場合でもよい。この場合でも、図３のステップＳ３で説明した制御と、同様の制御を個別に行えばよい。
【００６９】
また、本実施の形態では、図３に示すステップＳ２で、コイル１０ａが加熱中であると判断された領域およびその周囲領域を除いて、ステップＳ３の温度判定を行う場合を例に説明したが、これに限られない。例えば、図３のステップＳ２で、コイル１０ａが加熱中であると判断された領域のみを除いて、すなわちコイル１０ａの周囲領域を含む領域でステップＳ３の温度判定を行ってもよい。このとき、「周囲領域」は、図４Ｂなどに示す範囲の広さに限られず、任意の広さの領域でよい。これにより、コイル１０ａでの加熱電力が低く、それほど温度が高くない場合において、非接触受電装置を安全に載置できる場所を、より広く取ることができる。
【００７０】
また、本実施の形態では、図３のステップＳ１において、ユーザのディスプレイ１４のボタンの押下操作により、制御部２０に信号を送信する場合を例に説明したが、これに限られない。例えば、誘導加熱調理器２の本体部６などに設けられたボタンの押下操作により、図３のステップＳ２からステップＳ４のみを実施して、発光ユニットの発光を制御してもよい。これにより、図３に示すフローチャートのステップＳ１を省略できる。
【００７１】
さらに、ボタンの押下操作ではなく、ディスプレイ１４が本体部６に近付いたときに、ディスプレイ１４の通信部１４ａが、本体部６の制御部２０へ自動的に信号を送信する構成としてもよい。これにより、使用者の操作が少なく、より簡便に使用できる。
【００７２】
また、本実施の形態では、ディスプレイ１４の表示例として、いくつかの例で説明したが、これに限られない。例えば、図３に示すステップＳ１からステップＳ４で説明したように、発光ユニット１８の発光状態を示す画面をディスプレイ１４上に表示する構成としてもよい。
【００７３】
さらに、ディスプレイ１４に、例えば調理物の盛り付け例などを表示してもよい。この場合、まず、例えば透明なお皿をディスプレイ１４上に置く。その状態で、お皿の下に配置したディスプレイ１４の表示画面にしたがって、盛り付けを行うようにしてもよい。また、ユーザの調理を補助するために、ディスプレイ１４の表示画面に、食材の切り方などの任意の動画を表示してもよい。これにより、盛り付けや、調理などの動作時間を短縮できる。さらに、調理物などの見映えを向上させることができる。
【００７４】
また、本実施の形態では、ディスプレイ１４の通信部１４ａを介して、本体部６の制御部２０との通信により、調理情報を表示する場合を例に説明したが、これに限られない。例えば、ディスプレイ１４自体を誘導加熱調理器２の制御部として機能させる構成としてもよい。これにより、例えば誘導加熱調理器２の制御部２０が占めていた場所にコイルを配置できる。その結果、より加熱領域を広く取ることができる誘導加熱調理器が得られる。
【００７５】
なお、上記実施の形態のうちの任意の実施の形態を適宜組み合わせることにより、それぞれの有する効果を奏するようにすることができる。
【００７６】
以上で説明したように、本開示の誘導加熱調理器は、被加熱物が載置されるトッププレートと、トッププレートの下方に設けられ、トッププレート上に載置された被加熱物を誘導加熱するコイルと、コイルを収容するとともにトッププレートを支持するように配設された本体部を備える。そして、誘導加熱調理器は、誘導加熱調理器の調理に関する調理情報を表示するディスプレイを備え、ディスプレイは、本体部と通信する通信部を備え、本体部と別体で移動可能に設けてもよい。
【００７７】
この構成によれば、ユーザは、ディスプレイを任意の位置に置きながら調理ができる。これにより、ユーザの利便性が向上する誘導加熱調理器を提供できる。
【００７８】
また、本開示の誘導加熱調理器のディスプレイは、トッププレート上に載置されたときに、コイルが発生した電磁界を受けて電力を発生させる受電コイルを備え、ディスプレイは、受電コイルが発生させた電力によって駆動される構成でもよい。
【００７９】
この構成によれば、ディスプレイをトッププレート上で給電することができる。そのため、ユーザの利便性が向上する。
【００８０】
また、本開示の誘導加熱調理器のコイルは、トッププレートの下方に配列される複数のコイルで構成してもよい。これにより、ユーザは被加熱物やディスプレイを載置する場所の組み合わせを様々に選択することができる。その結果、よりユーザの利便性を向上させることができる。
【００８１】
また、本開示の誘導加熱調理器のディスプレイは、トッププレート上の任意の位置に載置可能で、載置した箇所の直下における少なくとも複数のコイルの１つによって給電される構成でもよい。これにより、ユーザはトッププレート上の任意の使いやすい位置にディスプレイを置きながら、給電も可能になる。そのため、ディスプレイの長時間の使用を可能にして、ユーザに対する利便性が、さらに向上する。
【００８２】
また、本開示の誘導加熱調理器のディスプレイは、バッテリを備えてもよい。これにより、誘導加熱調理器からディスプレイのバッテリへの充電が可能となる。そのため、ディスプレイの長時間の使用や、移動させた先でのディスプレイの使用が、より簡単にできる。
【００８３】
また、本開示の誘導加熱調理器の本体部は、コイルの周囲に配置される発光ユニットと、コイルの温度を検知する温度検知部と、制御部を備え、制御部は、温度検知部で検知した温度に基づいて、所定の発光ユニットを発光させて、ディスプレイの載置可能な位置を表示してもよい。これにより、温度の低い領域のコイル上に、ディスプレイを載置できる。
【産業上の利用可能性】
【００８４】
本開示によれば、ユーザは、別体で設けられるディスプレイに表示される調理情報などを見ながら調理などを実行できる。そのため、調理時における、更なる利便性が要望される誘導加熱調理器などの用途に有用である。
【符号の説明】
【００８５】
２    誘導加熱調理器
４    被加熱物
６    本体部
８    トッププレート
１０，１０ａ，１０ｂ，１０ｃ，１０ｄ，２２    コイル
１２    備え付け表示部（第１の表示部）
１４    ディスプレイ（第２の表示部）
１４ａ    通信部
１４ｂ    バッテリ
１４ｃ    受電コイル
１６    温度検知部
１８，２８    発光ユニット
２０    制御部
【図１】
2017038013.tif 000003
【図２】
2017038013.tif 000004
【図３】
2017038013.tif 000005
【図４Ａ】
2017038013.tif 000006
【図４Ｂ】
2017038013.tif 000007
【図４Ｃ】
2017038013.tif 000008
【図４Ｄ】
2017038013.tif 000009
【図５】
2017038013.tif 000010
【国際調査報告】
2017038013.tif 000011
2017038013.tif 000012
2017038013.tif 000013
2017038013.tif 000014